(57)【要約】【課題】畳床の上方に積層されるクッション材を簡単な方法で接着することができるとともに、全体として丈夫な構造でありながら、衝撃を充分に分散させることが可能な畳床を備えた柔道用畳を提供する。【解決手段】柔道用畳１は、畳床２の上方に、架橋ポリエチレンからなるクッション材３が接着され、クッション材３の上方に、塩化ビニールからなる畳表４が接着されて形成されている。クッション材３を架橋ポリエチレンによって形成することにより、柔らかさを確保することができ、クッション材３の厚みを５ｍｍ程度とすることにより、沈み込みを防止することができる。接着は、接着剤をスプレーによって塗布して行うことができる。【選択図】図１
0003170957.tif 000002
【実用新案登録請求の範囲】
【請求項１】
畳床の上方に接着された、架橋ポリエチレンからなる第一のクッション材と、前記第一のクッション材の上方に接着された畳表とを備え、
前記畳床は、裏面材の上方に順次、第一の発泡ポリプロピレンシート、発泡ポリスチレンフォーム板、２層のインシュレーションボード、第二のクッション材、第二の発泡ポリプロピレンシート、第三のクッション材を積層して形成された積層体を縫い合わせたものであることを特徴とする柔道用畳。
【考案の詳細な説明】
【技術分野】
【０００１】
本考案は、大規模な装置を用いることなく、簡便に製造することができ、衝撃を効果的に分散することが可能な柔道用畳に関する。
【背景技術】
【０００２】
柔道用畳は、柔道の試合や練習の際に、大きな衝撃を受けるため、この衝撃を吸収し、強度の点で優れた構造を有するものであることが要求される。また、表面が固いと、受け身のときに競技者が痛さを感じるため、ある程度の柔らかさが必要である一方、柔らかすぎると、表面が沈みこんで競技者が捻挫しやすくなるという問題点を生じる。
これらの問題点を解決することを目的とした柔道用畳の構造の一例が、特許文献１、特許文献２において開示されている。
【先行技術文献】
【特許文献】
【０００３】
【特許文献１】実開昭６３−１３６１４５号公報
【特許文献２】実開昭６３−１７７５３３号公報
【考案の開示】
【考案が解決しようとする課題】
【０００４】
柔道用畳の業界ではこれまで、柔道用畳を構成する各部材を積層して縫い合わせることによって柔道用畳を製造するのが通常であった。柔道用畳の表面には畳表が設けられているが、畳表を塩化ビニールの薄いシート状のもので形成すると、畳表を縫い合わせたときに、柔道用畳の角や縁にへたりを生じやすくなる。また、角や縁の部分がすり減りやすいため、これを補修して縫い合わせを繰り返すと、ますますこの部分が沈み込みやすくなる。
【０００５】
これを解消するために、角の部分に固い素材からなる補強材を配置して補強すると、今度は、この固い補強材が衝撃によって割れると、大きな怪我の要因となってしまう。
また、柔道用畳の表面部分を接着によって積層したものもあるが、これまでのものは、接着工程における圧着固定のために、大きな圧力を必要とするため、大規模な圧着機械が必要であった。さらに、予め粘着層を形成するための加工が必要であり、簡単な操作で接着により積層することが困難であった。
【０００６】
本考案は、このような事情を考慮してなされたもので、畳床の上方に積層されるクッション材を簡単な方法で接着することができるとともに、全体として丈夫な構造でありながら、衝撃を充分に分散させることが可能な畳床を備えた柔道用畳を提供することを目的とする。
【課題を解決するための手段】
【０００７】
以上の課題を解決するために、本考案の柔道用畳は、畳床の上方に接着された、架橋ポリエチレンからなる第一のクッション材と、前記第一のクッション材の上方に接着された畳表とを備え、前記畳床は、裏面材の上方に順次、第一の発泡ポリプロピレンシート、発泡ポリスチレンフォーム板、２層のインシュレーションボード、第二のクッション材、第二の発泡ポリプロピレンシート、第三のクッション材を積層して形成された積層体を縫い合わせたものであることを特徴とする。
【０００８】
架橋ポリエチレンからなる第一のクッション材は、その上方に積層される畳表と、畳床の表面に位置する第三のクッション材とに対して接着されており、この接着は、接着剤を塗布することにより、大きな圧着圧力を必要とすることなく、比較的短時間で行うことができる。そのため、大規模な圧着機械を必要とせず、予め粘着層を形成するための加工も不要であり、簡単な操作で作業性良く接着により積層することができる。また、第一のクッション材は架橋ポリエチレンからなっているため、柔道用畳表面が適度な柔らかさを有する構造とすることができる。
【０００９】
また、畳床は、硬くて衝撃に強い素材と、柔らかくて衝撃吸収力に富む素材とを交互に何層にも積層し、この積層体を縫い合わせて形成されているため、畳床全体として丈夫な構造であることを確保しつつ、衝撃を吸収し、沈み込みを効果的に防止することができる。従って、わざをかけやすく、捻挫等の怪我の発生も防止できる。
【考案の効果】
【００１０】
本考案によると、畳床の上方に積層されるクッション材を簡単な方法で接着することができるため、大規模な圧着機械を用いずに、短時間で作業性良く柔道用畳を製造することができる。また、畳床を、全体として丈夫な構造でありながら、衝撃を充分に分散させることが可能な構造とすることができる。
【図面の簡単な説明】
【００１１】
【図１】本考案の実施形態に係る柔道用畳の基本構造の積層断面を示す図である。
【図２】畳床の構造の積層断面を示す図である。
【考案を実施するための形態】
【００１２】
以下に、本考案をその実施形態に基づいて説明する。
図１に、本考案の実施形態に係る柔道用畳の基本構造の積層断面を示す。
図１に示すように、柔道用畳１は、畳床２の上方に、架橋ポリエチレンからなるクッション材３が接着され、クッション材３の上方に、塩化ビニールからなる畳表４が接着されて形成されている。クッション材３を架橋ポリエチレンによって形成することにより、柔らかさを確保することができ、クッション材３の厚みを５ｍｍ程度とすることにより、沈み込みを防止することができる。接着剤として、酢酸エチル、シクロヘキサンを主成分とするものを用いると、簡単な操作で、接着を強固に行うことができる。また、揮発性有機化合物（ＶＯＣ）を排出せず、環境に悪影響を与えない接着剤を使用している。
【００１３】
接着は、接着剤をスプレーによって塗布して行うことができ、接着に要する時間は５分程度である。接着後、１００ｋｇ程度の荷重を加え、１０分〜１５分程度圧着することで、充分な接着固定が可能である。従って、大規模な装置を用いることなく、簡便に柔道用畳を製造することができる。
【００１４】
図２に、畳床２の構造の積層断面を示す。
図２に示すように、芯材として機能する畳床２は、床と接する裏面材１１の上方に順次、発泡ポリプロピレンシート１２、発泡ポリスチレンフォーム板１３、２層のインシュレーションボード１４ａ、１４ｂ、クッション材１５、発泡ポリプロピレンシート１６、クッション材１７を積層し、この積層体を縫い合わせて形成されている。
【００１５】
裏面材１１はポリプロピレンのシートからなるものである。発泡ポリスチレンフォーム板１３は、発泡性のポリスチレンによって形成され、床に対する衝撃の抑制のために設けられており、厚みは２０ｍｍである。軟質繊維板である２層のインシュレーションボード１４ａ、１４ｂは、それぞれの厚みが１０ｍｍであり、この２層のインシュレーションボード１４ａ、１４ｂが設けられていることにより、沈み込みを防止することができ、わざをかけやすくなる。
【００１６】
裏面材１１の上方に位置する発泡ポリプロピレンシート１２の厚みは２ｍｍであり、クッション材１５の上方に位置する発泡ポリプロピレンシート１６の厚みは１０ｍｍである。発泡ポリプロピレンシート１２、発泡ポリプロピレンシート１６は、硬質の素材で形成されており、発泡ポリプロピレンシート１２、発泡ポリプロピレンシート１６を積層することにより、畳床２を全体として丈夫な構造として、へたりを少なくし、衝撃を受けてもひび割れを生じないようにすることができる。
【００１７】
インシュレーションボード１４ｂの上方に位置するクッション材１５と、畳床２の最上部に位置するクッション材１７は、ポリプロピレンによって形成されており、いずれも厚みは２ｍｍである。クッション材１５は、２層のインシュレーションボード１４ａ、１４ｂと、発泡ポリプロピレンシート１６との間に積層されており、衝撃を分散させるための緩衝層として機能するものである。また、クッション材１７は、畳床２の最上部に位置するものであり、図１に示すクッション材３と接着剤によって接着されるものである。クッション材１７の素材を選択することにより、架橋ポリエチレンからなるクッション材３との接着性を高めることができる。
【００１８】
本考案の柔道用畳１は、上述した構造を有しているため、大規模な圧着機械を用いずに、短時間で作業性良く柔道用畳を製造することができるとともに、畳床２は、全体として丈夫な構造でありながら、衝撃を充分に分散させることが可能な構造となっている。
【００１９】
架橋ポリエチレンからなるクッション材３は、畳床２の上方に接着されているため、経年変化によって柔道用畳１の角がすり減った場合であっても、その部分に対して新しいクッション材３を接着して補修することができ、補修作業も容易に行うことができる。
なお、上記の説明における各部材の厚みは一例であって、使用目的、使用状況によって適宜変更できる。
【産業上の利用可能性】
【００２０】
本考案は、製造工程が簡単で、全体として丈夫な構造でありながら、衝撃を充分に分散させることが可能な柔道用畳として、広く利用することができる。
【符号の説明】
【００２１】
１  柔道用畳
２  畳床
３  クッション材
４  畳表
１１  裏面材
１２  発泡ポリプロピレンシート
１３  発泡ポリスチレンフォーム板
１４ａ、１４ｂ  インシュレーションボード
１５  クッション材
１６  発泡ポリプロピレンシート
１７  クッション材
【図１】
0003170957.tif 000003
【図２】
0003170957.tif 000004